(57)【要約】【課題】  空調機器のコストを抑えつつ、初期設定及び変更作業を、空調機器が設置された場所にて、早く正確に行える技術を提供すること。【解決手段】  建物の各部屋毎に配置され、制御部４又は７によりファン９等の機器を制御して該部屋の空調を行う空調装置１において、前記制御部４又は７に接続された受信部１０にて、空調装置の初期設定データを少なくとも２回受信し、これらのデータの同一性を前記制御部７にて判定すると共に、同一性が確認されたデータを前記制御部のメモリ１９又は２０に保持した空調装置である。【選択図】      図１
2008089228.tif 000002
【特許請求の範囲】
【請求項１】
建物の各部屋毎に配置され、制御部によりファン等の機器を制御して該部屋の空調を行う空調装置において、前記制御部に接続された受信部にて、空調装置の初期設定データを少なくとも２回受信し、これらのデータの同一性を前記制御部にて判定すると共に、同一性が確認されたデータを前記制御部のメモリに保持したことを特徴とする空調装置。
【請求項２】
前記制御部に接続され、部屋利用者が温度設定等を行うコントローラに、少なくともコイル部からなる前記受信部を内蔵すると共に、少なくともコイル部からなる送信部を内蔵した設定器を前記コントローラに近接させることにより、電磁結合にて前記設定器から初期設定データの受信を行うことを特徴とする請求項１に記載の空調装置。
【請求項３】
前記判定の結果を、前記コントローラの表示部に表示することを特徴とする請求項２に記載の空調装置。
【発明の詳細な説明】
【技術分野】
【０００１】
本発明は、ホテルや病院などの建物の各部屋に設置される空調装置に関する。
【背景技術】
【０００２】
ホテルや病院などの建物における部屋の冷暖房は、各部屋に設置されているコントローラを用いて、部屋利用者が入力した温度や風量に基づき、パワーユニットを介した冷温水配管のバルブ開閉制御やファンコイルのファン風量制御を行う空調装置を用いて行っている。
【０００３】
この空調装置には、予め空調機器の製造時に、建物管理者の仕様に基づき、制御対象となる冷温水配管の方式やバルブの制御仕様、室温の上下限値、及び各種表示等の初期設定値が、コントローラやパワーユニット等に備えられた制御部に入力されている。そして、空調機器を各部屋に設置した後の試運転状況により、設定値変更を行い、最適な空調を提供できるようにしている。
【０００４】
このような初期設定値を変更する技術として、パソコン等により構成された初期設定装置を用いて、初期設定データをＬＡＮ等の伝送線を介して中央空調管理装置に送信する空調管理装置が知られている（例えば、特許文献１参照）。
【０００５】
また、空調装置におけるデータ送信技術として、赤外線等の無線電波を用いて、室内機と遠隔操作装置との間におけるデータ送信を行う空調機が知られている（例えば、特許文献２参照）。
【特許文献１】特開２００３−２７９１１３号公報
【特許文献２】特開２００１−１５３４３６号公報
【発明の開示】
【発明が解決しようとする課題】
【０００６】
しかしながら、特許文献１に記載の空調管理装置では、中央監視装置の作業者と、調整対象となる各部屋に在室している作業者とが、別途連絡を取り合いながら、部屋の空調状態に応じて初期設定値の変更作業を進めなければならず、かえって作業に時間がかかるおそれがあった。
【０００７】
また、特許文献２に記載の空調機では、正確なデータの送受信を行うために、室内機と遠隔操作装置の双方に送受信機を設けねばならず、装置が高価なものとなってしまう。
【０００８】
本発明は、上記問題点を解決するため、鋭意研究の結果開発されたものであり、その目的とするところは、空調機器のコストを抑えつつ、初期設定及び変更作業を、空調機器が設置された場所にて、早く正確に行える技術を提供することにある。
【課題を解決するための手段】
【０００９】
上記目的を達成するため、請求項１に係る発明は、建物の各部屋毎に配置され、制御部によりファン等の機器を制御して該部屋の空調を行う空調装置において、前記制御部に接続された受信部にて、空調装置の初期設定データを少なくとも２回受信し、これらのデータの同一性を前記制御部にて判定すると共に、同一性が確認されたデータを前記制御部のメモリに保持したことを特徴とする空調装置である。
【００１０】
請求項２に係る発明は、前記制御部に接続され、部屋利用者が温度設定等を行うコントローラに、少なくともコイル部からなる前記受信部を内蔵すると共に、少なくともコイル部からなる送信部を内蔵した設定器を前記コントローラに近接させることにより、電磁結合にて前記設定器から初期設定データの受信を行うことを特徴とする空調装置である。
【００１１】
請求項３に係る発明は、前記判定の結果を、前記コントローラの表示部に表示することを特徴とする空調装置である。
【発明の効果】
【００１２】
請求項１に係る発明によると、初期設定データを少なくとも２回受信し、これらのデータの同一性を確認の上、メモリに保持するようにしているので、送信機からの受信のみで正しいデータをメモリに保持することができ、空調装置のコストを抑えつつ、早く正確に初期設定データの変更入力作業を行うことができる。
【００１３】
請求項２に係る発明によると、各部屋に設置されたコントローラを利用して、電磁結合により初期設定データを受信するようにしたので、作業者が室内の空調を確認しながらその場で初期設定データの変更を早く正確に行うことができる。しかも受信部をコイルなどの汎用的な部品で構成しているので、コストを抑えた空調装置を提供することができる。
【００１４】
請求項３に係る発明によると、上記データの同一性の判定結果を、各部屋に設置されたコントローラに表示するようにしたので、初期設定データの変更作業者が受信データの良否を直ちに認識し、必要に応じて再度データを送信するなどの対応ができ、早く正確な変更作業を行うことができる。
【発明を実施するための最良の形態】
【００１５】
図１は本発明の一実施形態であり、ホテルや病院などの各部屋毎に設けられた空調装置１の構成を示している。この空調装置１は、ファンコイル２を用いた４管式の空調装置であり、各部屋の室内に配置されたコントローラ３の制御部４、若しくはコントローラ３に接続されたパワーユニット６の制御部７により、２台の三方弁８ａ、８ｂを制御し、ファンコイル２に供給される冷温水の切り替えを行うと共に、ファン９の風量を制御することにより、各部屋内の温度調整を行うものである。
【００１６】
図２は、図１の空調装置１を構成するコントローラ３とパワーユニット６の回路構成をブロック図で示したものである。コントローラ３は、コントローラ制御部４と、この制御部４に接続された受信部１０、キースイッチ１１、モード切替スイッチ１２、液晶やＬＥＤ等からなる表示部１３、室温センサ１４から構成されている。これらの素子は、カバー１５により被覆されており、このカバー１５を介してキースイッチ１１の操作や、表示部１３を視認できるようにしている。
【００１７】
パワーユニット６は、パワーユニット制御部７と、この制御部７に接続されたバルブインターフェース（Ｉ／Ｆ）１６、ファンインターフェース（Ｉ／Ｆ）１７、ルームキーセンサや窓センサ等との外部接続インターフェース（Ｉ／Ｆ）１８、電源（図示せず）から構成されている。この電源から供給される電力は、パワーユニット６に接続されているバルブ８ａ、８ｂやコントローラ３にも供給される。このパワーユニット６はコントローラ３と有線５を介して接続しており、天井裏等に配置されている。なお、パワーユニット６の機能を、コントローラ３に組み入れ、有線５を用いることなく一体化してもよい。
【００１８】
コントローラ３の制御部４やパワーユニット６の制御部７は、ワンチップマイコンからなり、ＣＰＵ（図示せず）、クロック（図示せず）、ＲＡＭ１９等から構成され、空調装置１の仕様に応じてＥＥＰＲＯＭ２０を接続している。このＲＡＭ１９やＥＥＰＲＯＭ２０等のメモリには、空調装置１の製造時に予め初期設定データが書き込まれており、空調装置１の電源を投入した際には、前記メモリに保持されているデータを読み出して、空調制御を行うようにしている。
【００１９】
ここで、初期設定データとは、空調装置１の制御基準となるデータのことをいい、具体的には、冷温水配管２１ａ、２１ｂの配管方式や、バルブ８ａ、８ｂの動作時間、ファン９の制御仕様データ等がある。とりわけ、空調装置１設置後の変更調整作業が必要なデータとしては、冷暖房の切換温度や温度の上下限値、制御温度の増減値、ファン９の運転遅延時間、コントローラ３の表示部１３の輝度等が挙げられる。
【００２０】
初期設定データの変更調整は、コントローラ３やパワーユニット６の一方若しくは双方に備えられた前記受信部１０にて、変更作業者が携帯する設定器２２から送信されるデータを受信し、このデータを前記メモリに保持することで完了するようにしている。この受信部１０は、図３に示すように、コイル部１０ａと増幅部１０ｂから構成されている。
【００２１】
次に、本発明の一実施形態における初期設定データの変更手順について、図４を用いて説明する。なお、図中、（ｃ）はコントローラ３における動作を示し、（ｐ）はパワーユニット６における動作であることを示している。
【００２２】
空調装置１は通常、「運転モード」としており、部屋利用者がコントローラ３のキースイッチ１１を操作して希望温度等を入力することにより、コントローラ３が接続されたパワーユニット６の制御部７がバルブ８ａ、８ｂやファンコイル２のファン９を制御して、室内の空調を行うようにしている。空調装置１の調整作業者は、この空調状態を在室のままチェックし、変更が必要な初期設定データ項目につき、携帯している設定器２２に変更後のデータを入力しておく。
【００２３】
次に、コントローラ３のモード切替スイッチ１２を操作し、「運転モード」から「初期設定モード」に切り換える（ステップＳ１）。続いて、コントローラ３のキースイッチ１１を操作して所定のコードを入力し、空調装置１をデータ受信待機状態とする（ステップＳ２）。このデータ受信待機状態とは、空調装置１の制御部（例えば、パワーユニット６の制御部７）が、設定器２２から初期設定データの受信を受け付け、このデータをＥＥＰＲＯＭ２０等のメモリに保持するまでのプログラムを動作させた状態をいい、初期設定モード下にあるコントローラ３において不意のデータ受信を防止するために設けている。
【００２４】
データ受信待機状態となったコントローラ３に、図１のように設定器２２を近接させ、初期設定データをコントローラ３に２回、送信する（ステップＳ３）。
図１及び図２に示すように、空調装置１の調整作業者が携帯する設定器２２の送信部２３を、コントローラ３の受信部１０に近接させると、送信部２３のコイル部２３ａの磁界によって受信部１０のコイル部１０ａに磁束が生じ、誘導電流が増幅部１０ｂを介してコントローラ制御部４に送られる。従って、初期設定データの内容に合わせて設定器２２の制御部２４からコイル部２３ａに流す電流をＯＮ−ＯＦＦし、これに対応するコントローラ３のコイル部１０ａに流れる電流がＯＮ−ＯＦＦされる、いわゆる電磁結合により、設定器２２からコントローラ３にデータが送信されるようにしている。
【００２５】
なお、図１の設定器２２は、設定器本体２２ａから有線２５で接続した送信部２３をコントローラ３に近接させているが、送信部２３を内蔵した設定器本体２２ａをコントローラ３に近接させるようにしてもよい。
【００２６】
設定器２２の送信部２３から送信された初期設定データは、コントローラ３の受信部１０で受信され、第１回目に受信した初期設定データ（第１回受信データ）は、コントローラ制御部４を介して、パワーユニット制御部７に備えられたＲＡＭ１９の第１領域１９ａに格納される（ステップＳ４）。この第１領域１９ａとは、ＲＡＭ１９内部に区画された任意の領域であるが、本実施例においては、受信した初期設定データを、運転モードにおける空調装置１の制御に直ちに用いることができるよう、ＣＰＵが常にアクセス可能な「ＲＡＭ運用領域」を第１領域１９ａとするのが好ましい。
【００２７】
また、第２回目に受信した初期設定データ（第２回受信データ）は、第１回目と同様の経路を経て、前記ＲＡＭ１９の第２領域１９ｂに格納される（ステップＳ５）。この第２領域１９ｂとは、ＲＡＭ１９内部に区画された任意の領域であるが、第１領域１９ａと重複しないようアドレスが異なっていれば良く、運転モードにおける空調装置１の制御に直ちに用いる必要もないことから、ＣＰＵが必要時にアクセス可能な「ＲＡＭダミー領域」を第２領域１９ｂとしてもよい。
【００２８】
ここで、送信１回分の初期設定データは、図５に示すように、スタートコード２６ａ、初期設定データ２６ｂ、パリティビット２６ｃ、ＧＡＰ（空白領域）２６ｄから構成されており、本実施例においてはパワーユニット制御部７がＧＡＰ２６ｄを検出することにより、送信回数ごとに送信データの終了が認識され、初期設定データは送信回数に応じてＲＡＭ１９内の各領域に振り分けて格納される。
【００２９】
初期設定データの受信を完了すると、パワーユニット制御部７にて、前記ＲＡＭ１９に格納された１回目と２回目の受信データを比較し、その同一性を判定する（ステップＳ６）。そして、２つの受信データの同一性が有ると判断した場合には、ＲＡＭ第１領域１９ａに格納された初期設定データは、そのままＲＡＭ１９に保持されると共に、パワーユニット制御部７に接続されているＥＥＰＲＯＭ２０にも保持する（ステップ７）。なお、ＲＡＭ第２領域１９ｂに格納されたデータは消去してもよい。
【００３０】
続いて、初期設定データを正確に受信できた旨を、コントローラ３の表示部１３に、例えば「Ｅｎｄ」と表示する（ステップＳ８）。これにより、空調装置１の調整作業者は、初期設定データを正確に受信できた旨を、在室のまま認識することができる。なお、表示のみならず音で認識できるようにしても良い。
【００３１】
一方、ステップＳ６にて、２つの受信データの同一性が無いと判断した場合には、コントローラ３の表示部１３には何も表示されないことで、空調装置１の調整作業者は、初期設定データがコントローラ３に正確に受信されなかった旨を認識できるようにしている。この場合には、ステップＳ３に戻り、もう一度、設定器２２をコントローラ３に近接させ、初期設定データをコントローラ３に送信する。
【００３２】
初期設定データの変更を終了する際には、コントローラ３のキースイッチ１１を操作して所定のコードを入力し、空調装置１のデータ受信待機状態を解除し、前記プログラムの動作を終了する（ステップＳ９）。続いてコントローラ３のモード切替スイッチ１２を操作し、「初期設定モード」から「運転モード」に復帰させる（ステップＳ１０）。
【００３３】
以上のように、初期設定データの変更が終了したら、次の部屋に設置された空調装置１´（図示せず）の初期設定データ変更作業を行う。変更内容が前室と同様であれば、空調装置１´を初期設定モードに切り換え、データ受信待機状態とした後に、直ちに前記設定器２２からデータの受信を行うことで、変更作業を早く正確に行うことができる。
【００３４】
なお、本実施例においては、パワーユニット制御部７にて、少なくとも２回受信したデータの同一性を判定するようにし、同一性が確認されたデータを、パワーユニット制御部７のＲＡＭ１９と、パワーユニット制御部７に接続されているＥＥＰＲＯＭ２０に保持するようにしているが、コントローラ制御部４にてデータ同一性の判断を行ったり、同一性が確認されたデータを、コントローラ制御部４に備えたＲＡＭやＥＥＰＲＯＭ（いずれも図示せず）に保持するようにしてもよい。また、本実施例においては、不揮発性記憶媒体として、ＥＥＰＲＯＭ２０等を用いたが、フラッシュメモリーであってもよい。
【００３５】
このように、初期設定データを少なくとも２回受信し、これらのデータの同一性を確認の上、パワーユニット制御部（またはコントローラ制御部）に内蔵したＲＡＭや、前記制御部に接続したＥＥＰＲＯＭ等のメモリに保持するようにしているので、送信機からの受信のみで正しいデータをメモリに保持することができ、空調装置のコストを抑えつつ、早く正確に初期設定データの変更入力作業を行うことができる。
【００３６】
また、各部屋に設置されたコントローラを利用して、電磁結合により初期設定データを受信するようにしたので、作業者が室内の空調を確認しながらその場で初期設定データの変更を早く正確に行うことができる。しかも受信部をコイルなどの汎用的な部品で構成しているので、コストを抑えた空調装置を提供することができる。
【００３７】
更に、上記データの同一性の判定結果を、各部屋に設置されたコントローラに表示するようにしたので、初期設定データの変更作業者が受信データの良否を直ちに認識し、必要に応じて再度データを送信するなどの対応ができ、早く正確な変更作業を行うことができる。
【図面の簡単な説明】
【００３８】
【図１】本発明の一実施形態を示す、空調装置の構成である。
【図２】図１の空調装置における、コントローラ、パワーユニット、設定器のブロック図である。
【図３】図１に示すコントローラの受信部と、設定器の送信部の回路構成図である。
【図４】図１に示す空調装置おける、初期設定データの変更手順を示すフローチャート図である。
【図５】図３の回路における、設定器から受信部への送信データを示す説明図である。
【符号の説明】
【００３９】
１  空調装置
２  ファンコイル
３  コントローラ
６  パワーユニット
８ａ、８ｂ  三方弁
１０ａ  コイル部
１０ｂ  増幅部
１３  表示部
１５  カバー
２２  認定器
２３  送信部
【図１】
2008089228.tif 000003
【図２】
2008089228.tif 000004
【図３】
2008089228.tif 000005
【図４】
2008089228.tif 000006
【図５】
2008089228.tif 000007